(57)【要約】      （修正有）【課題】開封及び再封が可能な蓋部を有し、情報表示用のスペースも容易に拡張することができる包装箱を提供する。【解決手段】互いに平行に連接された天面板２２、前面板２４、底面板２６、背面板２８が筒状体を形成し、両側端部が側面によって閉じられる。天面板２２は、２つの第一破断線５２により、２つの天面縁部５４とその間に挟まれた天面開閉部５６とに区切られる。前面板２４は、各第一破断線５２の端部同士を連結する第二破断線６６により、天面開閉部５６に連続する開封部６８と天面縁部５４に連続する前壁部７０とに区切られる。背面板２８の連接方向の端辺に、補助板３６が連接され、補助板３６は、２つの第三破断線１０４により、２つの補助縁部１０６とその間に挟まれた補助開閉部１０８とに区切られる。補助開閉版１０８の連接方向の端辺に、表示板４０が連接される。【選択図】図２
0003213214.tif 000002
【実用新案登録請求の範囲】
【請求項１】
一枚の箱体形成片から成り、前記箱体形成片には、天面板、前面板、底面板、背面板が順に互いに平行に連接され、前記天面板、前記前面板、前記底面板、前記背面板の連接方向に対して直角な所定の端辺に側蓋部材が延設され、
前記箱体形成片を組み立てた状態で、前記天面板、前記前面板、前記底面板及び前記背面板が矩形の筒状体を形成し、その両側端部が前記側蓋部材で成る側面によって各々閉じられ、前記筒状体の収容物取り出し口を閉鎖する蓋部が、前記天面板及び前記前面板の内側に跨るように設けられている包装箱において、
前記天面板は、２つの第一破断線により、前記側面に近い２つの天面縁部と前記２つの天面縁部の間に挟まれた天面開閉部とに区切られ、前記前面板は、前記２つの第一破断線の端部同士を連結する第二破断線により、前記天面開閉部に連続する開封部と前記天面縁部に連続する前壁部とに区切られ、前記背面板の、前記底面板と反対側の端辺に、補助板が連接され、前記補助板は、２つの第三破断線により、前記側面に近い２つの補助縁部と前記補助縁部の間に挟まれた補助開閉部とに区切られ、前記補助開閉部の、前記背面板と反対側の端辺に、表示板が連接され、
前記箱体形成片を組み立てた状態で、前記補助板は、前記天面板の内面側に位置し、前記補助縁部が前記天面縁部に重なって糊付けされ、前記補助開閉部が前記天面開閉部に重なって糊付けされ、前記表示板は、前記前面板の内面側に位置し、前記開封部及び前記前壁部に重なり、前記天面開閉部、前記補助開閉部及び前記開封部により前記蓋部が形成され、前記表示板が前記蓋部に連続し、
前記第一破断線、前記第二破断線及び前記第三破断線を破断させて開封し、前記蓋部を引き上げて前記表示板を外に引き出すことによって、前記収容物取り出し口が開口することを特徴とする請求項１記載の包装箱。
【請求項２】
開封された前記表示板を、前記収容物取り出し口の内側に差し込むことによって再封可能である請求項１記載の包装箱。
【請求項３】
前記表示板の両方の側端辺の、前記補助開閉部に近い位置に、外向きに突出する突起部が一対に設けられ、
再封された状態で、前記突起部が前記天面縁部の内面側の端縁に係合し、前記蓋部が保持される請求項２記載の包装箱。
【請求項４】
前記前面板の前記前壁部に、切り込み線で成る差し込み部が設けられ、
開封された前記表示板を、前記前壁部の外面側に重ね、前記表示板の端部を前記差し込み部に差し込むことによって再封可能である請求項１乃至３のいずれか記載の包装箱。
【請求項５】
前記側面は、複数の前記側蓋部材が糊付けされたシールエンド型であり、破断線を破断することによって開封でき、開封後に再封できる構造を備えている請求項１乃至４のいずれか記載の包装箱。
【考案の詳細な説明】
【技術分野】
【０００１】
本考案は、収容物取り出し口及びこれを閉鎖する蓋部が、箱体の天面板及び前面板に跨るように設けられた包装箱に関する。
【背景技術】
【０００２】
従来、特許文献１に開示されているように、正面、天面、背面、底面、右側面、左側面の６面から成り、天面を含む領域に収容物取り出し用の蓋部が設けられた再封機能付きカートンがあった。この再封機能付きカートンは、１枚のブランクスから成り、ブランクスには、天面板、背面外板、底面板、正面板、内蓋、背面内板が順に互いに平行に連接され、天面板、背面外板、底面板、正面板、内蓋の連接方向に対して直角な端部にフラップが各々延設されている。組み立て状態で、正面は正面板により形成され、底面は底面板により形成され、天面は、天面板とその内面側に重なる内蓋により形成され、背面は、背面外板とその内面側に重なる背面内板により形成され、右側面と左側面は、複数のフラップを重ねて接着することにより各々形成される。
【０００３】
天面を構成する天面板と内蓋のうち、天面板は、２本の天面板ミシン目によって区画された天面板開口部を有し、内蓋は、天面板開口部の内側にあってコの字状の開口部表面半切り線及び開口部裏面半切り線によって区画された内蓋開口部を有している。天面板と内蓋は、天面板開口部と内蓋開口部とが互いに接着され、これ以外の領域同士も互いに接着されている。
【０００４】
背面を構成する背面外板と背面内板のうち、背面外板は、天面板ミシン目に連続するＶ字形状の開封フラップミシン目によって区画された開封フラップと、開封フラップの中央部に連接した開封タブとを有し、開封フラップは、切れ目線によって形成された再封フックを有している。背面内板は、再封フックに嵌合可能な切り込みを有している。背面外板は、開封フラップ及び開封タブ以外の領域が背面内板に接着されている。
【０００５】
収容物取り出し用の蓋部は、上記の天面板開口部、内蓋開口部、開封フラップ及び開封タブにより一体に形成され、天面板ミシン目、開口部表面半切り線及び開口部裏面半切り線、開封フラップミシン目を破断させ、蓋部を引き上げることによって収容部取出し口が開口し、その後、蓋部を倒し、開封フラップの再封フックを背面内板の切り込みに差し込むことによって再封することができる。
【先行技術文献】
【特許文献】
【０００６】
【特許文献１】特開２００９−２５５９３３号公報
【考案の概要】
【考案が解決しようとする課題】
【０００７】
例えば、医薬品等の包装に使用される包装箱は、通常、薬の名称、製薬会社の名称、使用期限、使用上の注意事項等の多くの情報が表示されるが、もっと多くの情報を表示したいという要請がある。しかし、特許文献１の再封機能付きカートンは、情報表示用のスペースが限られているので、実現するのは容易ではなかった。
【０００８】
本考案は、上記背景技術に鑑みて成されたものであり、開封及び再封が可能な蓋部を有し、情報表示用のスペースも容易に拡張することができる包装箱を提供することを目的とする。
【課題を解決するための手段】
【０００９】
本考案は、一枚の箱体形成片から成り、前記箱体形成片には、天面板、前面板、底面板、背面板が順に互いに平行に連接され、前記天面板、前記前面板、前記底面板、前記背面板の連接方向に対して直角な所定の端辺に側蓋部材が延設され、前記箱体形成片を組み立てた状態で、前記天面板、前記前面板、前記底面板及び前記背面板が矩形の筒状体を形成し、その両側端部が前記側蓋部材で成る側面によって各々閉じられ、前記筒状体の収容物取り出し口を閉鎖する蓋部が、前記天面板及び前記前面板の内側に跨るように設けられている包装箱であって、
前記天面板は、２つの第一破断線により、前記側面に近い２つの天面縁部と前記２つの天面縁部の間に挟まれた天面開閉部とに区切られ、前記前面板は、前記２つの第一破断線の端部同士を連結する第二破断線により、前記天面開閉部に連続する開封部と前記天面縁部に連続する前壁部とに区切られ、前記背面板の、前記底面板と反対側の端辺に、補助板が連接され、前記補助板は、２つの第三破断線により、前記側面に近い２つの補助縁部と前記補助縁部の間に挟まれた補助開閉部とに区切られ、前記補助開閉部の、前記背面板と反対側の端辺に、表示板が連接され、
前記箱体形成片を組み立てた状態で、前記補助板は、前記天面板の内面側に位置し、前記補助縁部が前記天面縁部に重なって糊付けされ、前記補助開閉部が前記天面開閉部に重なって糊付けされ、前記表示板は、前記前面板の内面側に位置し、前記開封部及び前記前壁部に重なり、前記天面開閉部、前記補助開閉部及び前記開封部により前記蓋部が形成され、前記表示板が前記蓋部に連続し、
前記第一破断線、前記第二破断線及び前記第三破断線を破断させて開封し、前記蓋部を引き上げて前記表示板を外に引き出すことによって、前記収容物取り出し口が開口する包装箱である。
【００１０】
開封された前記表示板を、前記収容物取り出し口の内側に差し込むことによって再封可能な構成にすることができる。この場合、前記表示板の両方の側端辺の、前記補助開閉部に近い位置に、外向きに突出する突起部が一対に設けられ、再封された状態で、前記突起部が前記天面縁部の内面側の端縁に係合し、前記蓋部が保持される構成にすることが好ましい。
【００１１】
あるいは、前記前面板の前記前壁部に、切り込み線で成る差し込み部が設けられ、開封された前記表示板を前記前壁部の外面側に重ね、前記表示板の端部を前記差し込み部に差し込むことによって再封可能な構成にしてもよい。
【００１２】
また、前記側面は、複数の前記側蓋部材が糊付けされたシールエンド型であり、破断線を破断することによって開封でき、開封後に再封できる構造にしてもよい。
【考案の効果】
【００１３】
本考案の包装箱は、一枚の箱体形成片を折り曲げて糊付することによって効率よく組み立てることができ、蓋部を開封及び再封する操作も容易である。また、所定の表示板を備えているので、情報表示用のスペースを容易に拡張することができる。
【図面の簡単な説明】
【００１４】
【図１】本考案の包装箱の一実施形態の組み立て状態を、前面板側から見た斜視図（ａ）、背面板側から見た斜視図（ｂ）である。
【図２】この実施形態の包装箱を構成する箱体形成片を裏面側から見た展開図である。
【図３】図２の箱体形成片の表示板の表面側に設けられた表示を示す図である。
【図４】この実施形態の包装箱の組み立て方法の一例を示す平面図（ａ）、（ｂ）である。
【図５】この実施形態の包装箱の組み立て方法の一例を示す平面図（ａ）、（ｂ）である。
【図６】この実施形態の包装箱の組み立て状態を示す正面図（ａ）、Ａ部の拡大図（ｂ）、Ｂ部の拡大図（ｃ）である。
【図７】この実施形態の包装箱の側面を開封した状態を示す斜視図（ａ）、側面を再封した状態を示す斜視図（ｂ）である。
【図８】この実施形態の包装箱の蓋部を開封する操作を順に示す斜視図（ａ）、（ｂ）である。
【図９】この実施形態の包装箱の蓋部の再封方法の一例を示す斜視図（ａ）、他の例を示す斜視図（ｂ）である。
【図１０】箱体形成片の変形例を裏面側から見た展開図である。
【考案を実施するための形態】
【００１５】
以下、本考案の包装箱の一実施形態について、図面に基づいて説明する。この実施形態の包装箱１０は、図１に示すように、矩形の筒状体１２の両側端部が側面１４，１６によって各々閉じられた箱体であり、側面１４が開封及び再封可能に形成され、筒状体１２には、収容物取り出し口を開封及び再封可能にする蓋部１８が設けられている。
【００１６】
包装箱１０は、厚紙等で成る一枚の箱体形成片２０を組み立てることによって形成される。箱体形成片２０は、図２（ａ）に示すように、天面板２２、前面板２４、底面板２６、背面板２８が順に互いに平行に連接され、折罫線３０，３２，３４で各々区切られている。天面板２２、前面板２４、底面板２６、背面板２８は、連接する幅方向がほぼ同じ長さで、連接方向の長さは、天面板２２及び底面板２６が短くて互いにほぼ等しく、前面板２４及び背面板２８が長くて互いにほぼ等しい。
【００１７】
背面板２８の、底面板２６と反対側の端辺には、補助板３６が連接され、折罫線３８で背面板２８と区切られている。補助板３６の形状は、天面板２２とほぼ同じである。さらに、補助板３６の、背面板２８と反対側の端辺には、表示板４０が連接され、折罫線４２で補助板３６と区切られている。表示板４０の連接する幅方向の長さは、補助板３６の幅方向の長さよりも短く、連接方向の長さは、前面板２４の連接方向の長さよりも短い。
【００１８】
天面板２２の、連接方向に対して直角な一端辺には、台形状のサイドフラップ４４が延設され、折罫線４６で天面板２２と区切られている。天面板２２の反対側の端辺にも、台形状のサイドフラップ４８が延設され、折罫線５０で天面板２２と区切られている。
【００１９】
また、天面板２２は、折罫線３０と交差する向きに設けられた２つの第一破断線５２によって、サイドフラップ４４又はサイドフラップ４８に連続する２つの天面縁部５４と、その間に挟まれた天面開閉部５６とに区切られている。
【００２０】
前面板２４の、折罫線４６と連続する端辺には、台形状の第一側蓋片５８が延設され、折罫線６０で前面板２４と区切られている。第一側蓋片５８の延設方向の長さは、底面板２６の連設方向の長さの約4/5である。前面板２４の反対側の端辺にも、第一側蓋片５８とほぼ同じ形状の第一側蓋片６２が延設され、折罫線６４で前面板２４と区切られている。
【００２１】
また、前面板２４は、２つの第一破断線５２の端部同士を連結する略Ｖ字状の第二破断線６６により、天面開閉部５６に連続する開封部６８と天面縁部５４に連続する前壁部７０とに区切られている。また、前壁部７０の、折罫線６４に近い位置に、折罫線６４に対して斜めに形成された切り込み線で成る差し込み部７２が設けられている。差し込み部７２は、蓋部１８を再封するとき、表示板４０の端部（後述する先端角部１１２）が差し込まれて係合する部分である。
【００２２】
底面板２６の、折罫線６０と連続する端辺には、台形状のサイドフラップ７４が延設され、折罫線７６で底面板２６と区切られている。底面板２６の反対側の端辺にも、台形状のサイドフラップ７８が延設され、折罫線８０で底面板２６と区切られている。
【００２３】
背面板２８の、折罫線７６に連続する端辺には、補強片８２が延設され、折罫線８４で区切られている。補強片８２の延設方向の長さは、第一側蓋片５８の延設方向の長さとほぼ同じである。補強片８２の内側の、折罫線８４側の端部には、台形状の透孔８６が開口している。
【００２４】
補強片８２の、背面板２８と反対側の端辺には、再封片８８が延設され、破断線９０で区切られている。再封片８８の延設方向の長さは、補強片８２の延設方向の長さとほぼ等しい。再封片８８は、補強片８２との境界部分の両端が内向きに略Ｖ字状に切り欠かれ、切り欠かれた部分の両角部が円弧状になっている。
【００２５】
再封片８８の、補強片８２と反対側の端辺には、略矩形の第二側蓋片９２が延設され、折罫線９４で再封片８８と区切られている。第二側蓋片９２の延設方向長さは、底面板２６の連接方向の長さとほぼ等しい。その他、図２では示していないが、再封片８８の中央部に、表面側に凸のエンボス状の凹みを設け、組み立て状態で、この凹みが透孔８６を介して背面板２８に対面し、互いに近接するようにしてもよい。
【００２６】
背面板２８の、補強片８２と反対側の端辺には、第二側蓋片９２とほぼ同じ形状の第二蓋片９６が延設され、折罫線９８で背面板２８と区切られている。
【００２７】
さらに、背面板２８の内側の、折罫線８４側の端部に、透孔８６よりも小さく、指で押圧可能な大きさの開封部１００が、透孔８６及びＵ字状の破断線１０２に囲まれて設けられている。その他、図２では示していないが、開封部１００に、裏面側に凸のエンボス状の凹みを設け、組み立て状態で、この凹みが透孔８６を介して再封片８８に対面し、互いに近接するようにしてもよい。
【００２８】
補助板３６は、折罫線３８に対してほぼ直角に設けられた２つの第三破断線１０４によって、補強片８２又は第二側蓋片９６に近い２つの補助縁部１０６と、その間に挟まれた補助開閉部１０８とに区切られている。２つの第三破断線１０４は、前面板２４の第二破断線６６の両端の位置に合わせて設けられている。
【００２９】
表示板４０は、補助開閉部１０８の端辺に連接され、折罫線４２と直角な側端辺は、２つの第三破断線１０４を延長した位置に配されている。そして、この側端辺の、補助開閉部１０８に近い位置に、外向きに突出する突起部１１０が一対に設けられている。また、表示板４０の、第二側蓋片９６側の先端角部１１２が少し鋭角に突出している。この先端角１１２は、蓋部１８を再封するとき、前面板２４の差し込み部７２に差し込まれて係合する部分である。
【００３０】
なお、上記の箱体形成片１２の構成のうち、組み立て状態で側面１４を形成する側蓋部材は、サイドフラップ４４、第一側蓋片５８、サイドフラップ７４、補強片８２、再封片８８、第二側蓋片９２である。また、組み立て状態で側面１６を形成する側蓋部材は、サイドフラップ４８、第一側蓋片６２、サイドフラップ７８、第二側蓋片９６である。
【００３１】
また、上記の箱体形成片１２の構成のうち、組み立て状態で包装箱１０の外側面になるのは、天面板２２、前面板２４、底面板２６、背面板２８、第二側蓋片９２，９６の表面側であり、図２では示していないが、これらの表面側には、薬の名称、製薬会社の名称、使用期限、使用上の注意事項、絵柄等が表示されている。また、表示板４０の表面側には、図３に示すように、服用するタイミング、１回分の服用量、服用した実績を記録する服薬チェック表等が表されている（表示Ｈ）。
【００３２】
次に、包装箱１０の組み立て方法の一例を説明する。ここで、図２は箱体形成片２０を裏面側から見たものであり、以下、箱体形成片２０の表面が凸になる折り方を正折り、そして裏面が凸になる折り方を逆折りと称する。
【００３３】
まず、図２に示す状態で、補強片８２の裏面に糊Ｎ１を塗布し、図４（ａ）に示すように折罫線８４を正折りし、開封部１００が透孔８６の内側に配された状態で、補強片８２の裏面を背面板２８（開封部１００以外の部分）の裏面に糊付けする。これにより、背面板２８の開封部１００の周縁部分が補強片８２によって補強される。その後、開封部１００の裏面に糊Ｎ２を塗布し、図４（ｂ）に示すように破断線９０を逆折りし、再封片８８の表面を開封部７６の裏面に糊付けする。このとき、上記のように、再封片８８の中央部に、表面側に凸の凹みが形成されていれば、再封片８８と開封部１００とがより近接し、確実に糊付けすることができる。あるいは、開封部１００に、裏面側に凸の凹みが形成されていれば、再封片８８と開封部１００とがより近接し、確実に糊付けすることができる。
【００３４】
その後、図５（ａ）に示すように、折罫線３８を正折りし、補助板３６及び表示板４０の裏面を底面板２６及び背面板２８の裏面に重ね、補助板３６の補助縁部１０６及び補助開閉部１０８の表面に糊Ｎ３，Ｎ４を各々塗布する。そして、図５（ｂ）に示すように、折罫線３２を正折りし、天面板２２の裏面を補助板３６の表面に重ねる。これにより、天面縁部５４の裏面が補助縁部１０６の表面に糊付けされ、天面開閉部５６の裏面が補助開閉部１０８の表面に糊付けされる。箱体形成片２０は、図５（ｂ）に示す折り畳み状態で出荷される。
【００３５】
次に、商品等を収容し包装する工場等において、折罫線３０，３２，３４，３８，４２を各々９０度に正折りし、天面板２２、前面板２４、底面板２６、背面板２８で成る四角形の筒状体１２を形成する。そして、折罫線５０，８０を各々９０度に正折りしてサイドフラップ４８，７８を倒し、折罫線６４を９０度に正折りして第一側蓋片６２を倒す。そして、第一側蓋片６２の表面に糊を塗布した後、折罫線９８を９０度に正折りして第二側蓋片９６を倒し、第二側蓋片９６の裏面を第一側蓋片６２の表面に重ねて糊付けする。これで、筒状体１２の一方の端部を閉鎖する側面１６が形成され、開放している他端部からら商品等を入れる。
【００３６】
商品等を入れた後は、折罫線４６，７６を各々９０度に正折りしてサイドフラップ４４，７４を倒し、折罫線６０を９０度に正折りして第一側蓋片５８を倒す。そして、第一側蓋片５８の表面に糊を塗布した後、折罫線９４を９０度に正折りして第二側蓋片９２を倒し、第二側蓋片９２の裏面を第一側蓋片５８の表面に重ねて糊付けする。これで、筒状体１２の他方の端部を閉鎖する側面１４が形成され、図１に示す組み立て状態となり、包装作業が終了する。
【００３７】
この組み立て状態で、補助板３６は、天面板２２の内面側に位置し、補助縁部１０６が天面縁部５４に重なって糊付けされ、補助開閉部１０８が天面開閉部５６に重なって糊付けされる。そして、天面開閉部５６、補助開閉部１０８及び開封部６８により、蓋部１８が一体に形成され、表示板４０が蓋部１８に連続する。また、表示板４０は、図６（ａ）に示すように、前面板２４の内面側に位置し、開封部６８及び前壁部７０に重なり、図６（ｂ）、（ｃ）に示すように、表示板４０の一対の突起部１１０が、第二破断線６６の両端６６ａよりも外側に僅かに突出する。
【００３８】
次に、包装箱１０を、医薬品の包装箱に使用する場合の使用方法の例を説明する。包装箱１０に入った薬剤が病院に納入されると、例えば、薬剤師によって側面１４が開封される。側面１４を開封するときは、まず、背面板２８の開封部１００を指で押し破る。このとき、開封部１００の周縁部分が補強片８２で補強されて変形しにくくなっているので、破断線１０２を容易に破断させることができる。開封部１００を押し破ると、破断線９０もほぼ同時に破断し、再封片８８が補強片８２から切り離される。開封部１００は背面板２８から分離するが、再封片８８に糊付けされている。そして、再封片８８及び第二側蓋片９２を摘んで引き上げ、サイドフラップ４４，７４を起こすと、図７（ａ）に示すように筒状体１２の端部が開放し、中の薬剤を取り出すことができる。
【００３９】
薬剤師は、患者に必要な量の薬剤を包装箱１０に残し、包装箱１０の側面１４を再封する。再封するときは、サイドフラップ４４，７４を倒し、図７（ｂ）に示すように、再封片８８を背面板２８の内側に差し込んで係止させ、側面１４で筒状体１２の端部を閉鎖する。再封片８８は、切り離された破断線９０側の両角部が円弧状に形成されているので、サイドフラップ４４，７４と背面板２８との隙間に容易に差し込むことができる。背面板２８の開封部１００が除去された開口部は、再封片８８（及び開封部１００）によって塞がれる。
【００４０】
側面１４が再封されると、この状態で患者に渡され、患者には、薬剤を蓋部１８から出し入れするように説明される。患者は、薬剤を受け取った時点で、蓋部１８が未開封なので、一定の安心感が得られる。
【００４１】
患者が薬剤の服用を開始するとき、包装箱１０の蓋部１８を開封する。まず、開封部６８を指で押して第二破断線６６を破断させ、開封部６８を起こす。すると、図８（ａ）に示すように、開封部６８が無くなった部分が開口し、表示板４０の表示Ｈの一部が露出する。そして、開封部６８を摘まんで引き上げて第一破断線５２を破断させ、蓋部１８（天面開閉部５６、開封部６８及び補助開閉部１０８）を起こすと、図８（ｂ）に示すように、表示板４０が筒状体１２の外側に引き出され、開口した収容物取り出し口から中の薬剤を取り出すことができる。
【００４２】
患者は、表示板４０の表示Ｈを見て注意事項（服用するタイミング、１回分の薬剤の量等）を確認し、１回分の薬剤を取り出して服用し、服用した実績を服薬チェック表に記入する。服薬チェック表は、患者の服薬コンプライアンスの意識を高める働きをする。
【００４３】
その後、患者は、服用前の薬剤を保管するため、蓋部１８を閉じて包装箱１０を再封する。包装箱１０の再封方法は、以下の２通りがある。
【００４４】
第１の方法は、図９（ａ）に示すように、蓋部１８を倒し、表示板４０を筒状体１２の内側に戻して前壁部７０の内面側に係止させ、蓋部１８を保持させる方法である。この方法で再封した場合、図６に示したように、表示板の一対の突起部１１０が、第二破断線６６の両端６６ａよりも外側に突出するように設けられているので、再封した状態で、突起部１１０が天面縁部５４の内面側の端縁に係合し、蓋部１８が確実に保持される。
【００４５】
第２の方法は、図９（ｂ）に示すように、蓋部１８を倒し、表示板４０を前壁部７０の外面側に重ね、先端角部１１２を差し込み部７２に差し込んで蓋部１８を保持させる方法である。この方法で再封した場合、服薬チェック表等が外から見える状態になるので、日頃から患者の注意を引き、服薬コンプライアンスの意識をさらに高めることができる。
【００４６】
その後、再び薬剤を服用する時は、開封したときの要領で図８（ｂ）に示す状態にして、収容物取り出し口から中の薬剤を取り出す。
【００４７】
以上説明したように、包装箱１０は、一枚の箱体形成片２０を折り曲げて糊付することによって効率よく組み立てることができ、開封及び再封の操作も容易である。また、表示板４０を備えているので、情報表示用のスペースを容易に拡張することができ、上記の医薬品の包装箱に使用した場合のように、様々な付加価値を提供することができる。
【００４８】
なお、この考案の緩衝機能付包装用箱は、上記実施形態に限定されるものではない。例えば、上記の包装箱１０及び箱体形成片２０は、シールエンド型の側面１４が開封及び再封できる構造になっているが、側面１４，１６の構造は自由に変更することができる。例えば、図１０に示す変形例の箱体形成片１１４は、箱体形成片２０の構成の一部を変更したものであり、再封に関連する補強片８２及び再封片８８が省略され、第二側蓋片９２は、背面板２８の端辺に直接延設され、破断線１１６で背面板２８と区切られている。つまり、箱体形成片１１４は、側面１４を開封できるが再封はできない構造であり、シールエンド型で広く使用されているものである。その他、側面１４は、側面１６と同様に開封できない構造にしてもよい。また、側面１６の構造についても自由に変更することができる。
【００４９】
その他、箱体形成片の素材は、厚紙紙などが好適であるが、収容物の耐衝撃性やデザイン性に鑑みて、素材の選択や厚みの設定を適宜変更することができる。また、表示板の表示内容は上記実施形態に限定されず、用途に合わせて自由に変更することができる。
【符号の説明】
【００５０】
１０  包装箱
１２  筒状体
１４，１６  側面
１８  蓋部
２０，１１４  箱体形成片
２２  天面板
２４  前面板
２６  底面板
２８  背面板
３６  補助板
４０  表示板
５２  第一破断線
５４  天面縁部
５６  天面開閉部
６６  第二破断線
６８  開封部
７０  前壁部
７２  差し込み部
１０４  第三破断線
１０６  補助縁部
１０８  補助開閉部
１１０  突起部
１１２  先端角部（表示板の端部）
Ｈ  表示
【図１】
0003213214.tif 000003
【図２】
0003213214.tif 000004
【図３】
0003213214.tif 000005
【図４】
0003213214.tif 000006
【図５】
0003213214.tif 000007
【図６】
0003213214.tif 000008
【図７】
0003213214.tif 000009
【図８】
0003213214.tif 000010
【図９】
0003213214.tif 000011
【図１０】
0003213214.tif 000012
【手続補正書】
【提出日】平成29年8月22日(2017.8.22)
【手続補正１】
【補正対象書類名】実用新案登録請求の範囲
【補正対象項目名】請求項１
【補正方法】変更
【補正の内容】
【請求項１】
一枚の箱体形成片から成り、前記箱体形成片には、天面板、前面板、底面板、背面板が順に互いに平行に連接され、前記天面板、前記前面板、前記底面板、前記背面板の連接方向に対して直角な所定の端辺に側蓋部材が延設され、
前記箱体形成片を組み立てた状態で、前記天面板、前記前面板、前記底面板及び前記背面板が矩形の筒状体を形成し、その両側端部が前記側蓋部材で成る側面によって各々閉じられ、前記筒状体の収容物取り出し口を閉鎖する蓋部が、前記天面板及び前記前面板の内側に跨るように設けられている包装箱において、
前記天面板は、２つの第一破断線により、前記側面に近い２つの天面縁部と前記２つの天面縁部の間に挟まれた天面開閉部とに区切られ、前記前面板は、前記２つの第一破断線の端部同士を連結する第二破断線により、前記天面開閉部に連続する開封部と前記天面縁部に連続する前壁部とに区切られ、前記背面板の、前記底面板と反対側の端辺に、補助板が連接され、前記補助板は、２つの第三破断線により、前記側面に近い２つの補助縁部と前記補助縁部の間に挟まれた補助開閉部とに区切られ、前記補助開閉部の、前記背面板と反対側の端辺に、表示板が連接され、
前記箱体形成片を組み立てた状態で、前記補助板は、前記天面板の内面側に位置し、前記補助縁部が前記天面縁部に重なって糊付けされ、前記補助開閉部が前記天面開閉部に重なって糊付けされ、前記表示板は、前記前面板の内面側に位置し、前記開封部及び前記前壁部に重なり、前記天面開閉部、前記補助開閉部及び前記開封部により前記蓋部が形成され、前記表示板が前記蓋部に連続し、
前記第一破断線、前記第二破断線及び前記第三破断線を破断させて開封し、前記蓋部を引き上げて前記表示板を外に引き出すことによって、前記収容物取り出し口が開口することを特徴とする包装箱。